(57)【要約】【課題】少ない構成部品で、高温、高加湿、低騒音のサウナ装置を提供することを目的とする。【解決手段】空気を循環する循環送風手段２と空気を加熱する空気加熱手段３と、空気を加湿する加湿手段４と、循環送風手段２により空気加熱手段３を通過したのち、加湿手段４を経て吹出口６よりサウナの対象室に吹き出す通風路７とを備え、循環送風手段２と吹出口Ｔ６を逆Ｌ字状の通風絽により連通したことにより、少ない構成部品で、高温、高加湿、低騒音のサウナ装置を得られる。【選択図】図１
2008136706.tif 000002
【特許請求の範囲】
【請求項１】
サウナ対象室の空気を循環する循環送風手段と、空気を加熱する空気加熱手段と、空気を加湿する加湿手段と、前記循環送風手段により、前記空気加熱手段を通過したのち、前記加湿手段を経て吹出口よりサウナ対象室に吹き出す通風路とを備え、前記循環送風手段と前記吹出口を逆Ｌ字状の通風路にて連通したサウナ装置。
【請求項２】
加湿手段を、略逆Ｌ字状に形成される通風路の略水平通風路部に設けた請求項１記載のサウナ装置。
【請求項３】
水平通風路部の下面を循環送風手段の送風機吐出口から下り勾配に設け、前記水平通風路の端部に設けられる貯水部と、この貯水部から外部に排水できる排水経路とを設けた請求項２記載のサウナ装置。
【請求項４】
空気加熱手段を、通風路を形成するケーシングの外側に配置した請求項１記載のサウナ装置。
【請求項５】
空気加熱手段を、ケーシングを囲むように略Ｌ字状またはコの字状に形成した請求項４記載のサウナ装置。
【請求項６】
循環送風手段に使用するモーターを通風路外に設け、モーター上部を覆う部分に開口部を設けた請求項１記載のサウナ装置。
【請求項７】
加湿手段を、水を噴射するノズルと、このノズルから噴射した水が噴射水衝突面に衝突することにより加湿する水破砕手段により構成した請求項１記載のサウナ装置。
【請求項８】
ノズルに水を供給するノズル供給配管を水加熱手段により加熱する構成とした請求項７記載のサウナ装置。
【請求項９】
水破砕手段の風下側に大粒水滴と微細水滴に分離する気液分離手段を設けた請求項７記載のサウナ装置。
【請求項１０】
気液分離手段により回収する水滴の大きさは１０μｍ以上である構成とした請求項９記載のサウナ装置。
【請求項１１】
回収された大粒の水滴を、空気分離手段の下部に設けられる落下水を貯水する貯水部を介し排水口に導く構成とした請求項９記載のサウナ装置。
【請求項１２】
貯水部を加湿部通風路の、気流流通路外に設け、貯水部の溢水を検知する溢水検知手段を、貯水部の気流流通路外に設けた請求項９記載のサウナ装置。
【発明の詳細な説明】
【技術分野】
【０００１】
本発明は、サウナ対象室を高温、高湿なサウナ空間にするサウナ装置に関する。
【背景技術】
【０００２】
従来、この種のサウナ装置の一例として浴室を利用するミスト機能付サウナ装置が知られている（例へば、特許文献１参照）。
【０００３】
以下、そのサウナ装置について図５を参照しながら説明する。
【０００４】
図に示すように、空気を加熱する加熱手段１０１により加熱された空気を送風する加熱空気送風手段１０２と、加湿手段１０３と、加湿手段１０３により加湿された加湿空気を送風する加湿空気送風手段１０４と、吸込口１０５および吹出口１０６を備え、加熱空気送風手段１０２からの加熱空気と、加湿空気送風手段１０４からの加湿空気を吹出口１０６の手前で合流し吹出口１０６より加熱加湿空気を吹き出す構成としている。
【０００５】
また、この種のサウナ装置の他の例として浴室暖房乾燥機が知られている（例えば、特許文献２参照）。
【０００６】
以下、その浴室暖房乾燥機について図６および図７を参照しながら説明する。
【０００７】
図に示すように、内部に循環用モータ１０７と循環用ファン１０８および循環用構成部材１０９と温水を通し加熱する熱交換器１１０とを一体的に形成した循環用ユニット１１１を、外装ケース１１２に組み込み、下方に吸込開口１１３と吹出開口１１４を形成した循環部１１５を設け、循環部１１５には吸込開口１１３と吹出開口１１４を仕切る循環部側仕切板１１６を設けた構成としている。
【特許文献１】特開２００６−２１２２４６号公報（［００３２］〜［００３５］図  １）
【特許文献２】特開２００５−３３４３号公報（［００１８］図１）
【発明の開示】
【発明が解決しようとする課題】
【０００８】
このような従来のサウナ装置では、加熱空気送風手段１０２と加湿送風手段１０４とに分かれており、また、風路が２風路となり部品点数が多く構造が複雑で製品重量が重くなり、メンテナンス性も悪く、製品コストが高いという課題があり、構成部品を少なくすることが要求されている。
【０００９】
また、加湿手段１０３として加湿水をモータにより回転させた羽根にあてて破砕する構成を用いていたので、モータ音と羽根が水を破砕する音により運転音がうるさいという課題があり、運転音を軽減することが要求されている。
【００１０】
また、他の例の浴室暖房機では、循環用ユニット１１１を機器のほぼ中央に配し、吹出開口１１４との間をほぼ直線的な通風路にて連通する構成であるため、ミスト機能を追加する場合は通風路内に加湿手段を設けなければならないが、通風路内に加湿手段を設けるにはスペース的に困難であるという課題があり、簡単に加湿手段を設けるようにすることが要求されている。
【００１１】
本発明は、このような従来の課題を解決するものであり、少ない構成部品で、高温、高加湿、低騒音のサウナ装置を提供することを目的としている。
【課題を解決するための手段】
【００１２】
本発明のサウナ装置は上記目的を達成するために、浴室の空気を循環する循環送風手段と、空気を加熱する空気加熱手段と、空気を加湿する加湿手段と、前記循環送風手段により前記空気加熱手段を通過したのち、前記加湿手段を経て吹出口よりサウナ対象室に吹き出す通風路とを備え、前記循環送風手段と前記吹出口を逆Ｌ字状の通風路にて連通したものである。
【００１３】
この手段により、サウナ対象室に高温、高湿度空気を供給できるとともに、加湿手段を循環送風風路内に配置することにより少ない構成部品で実現できるので、本体の軽量化、低コストが実現でき、また、従来技術に比べ加湿手段に使用するファンモーターが不要となるので低騒音のサウナ装置が得られる。
【００１４】
また、他の手段は、加湿手段を、略逆Ｌ字状に形成される通風路の略水平通風路部に設けたものである。
【００１５】
この手段により、高加湿でも加湿空気により発生した水滴が吹出口より落下し、使用者に不快感を与えることのないサウナ装置が得られる。
【００１６】
また、他の手段は、水平通風路部の下面を循環送風手段の送風機吐出口から下り勾配に設け、前記水平通風路部の端部に設けられる貯水部と、この貯水部から外部に排水できる排水経路とを設けたものである。
【００１７】
この手段により、加湿空気が通風路に接触し水滴が発生した場合においても水分が通風路内に停滞することが無く外部に排出されるので、カビ、菌等が発生し難いサウナ装置が得られる。
【００１８】
また、他の手段は、空気加熱手段を、通風路を形成するケーシングの外側に配置したものである。
【００１９】
この手段により、空気加熱手段を送風機吐出側の風路面積の影響を受けずに設けることができることから空気加熱手段を大型化できることが可能となり、高温、高湿度の空気を大風量で供給できるサウナ装置が得られる。
【００２０】
また、他の手段は、空気加熱手段を、ケーシングを囲むように略Ｌ字状またはコの字状に形成したものである。
【００２１】
この手段により、大型の空気加熱手段で空気を温めることにより、加湿量、加熱量を上昇することができ、サウナ起動立ち上がり時間を短くすることができるサウナ装置が得られる。
【００２２】
また、他の手段は、循環送風手段に使用するモーターを通風路外に設け、モーター上部を覆う部分に開口部を設けたものである。
【００２３】
この手段により、モーターの温度上昇を抑えモーターの耐久性を向上させるサウナ装置が得られる。
【００２４】
また、他の手段は、加湿手段を、水を噴出するノズルと、このノズルから噴射した水が噴射水衝突面に衝突することにより、加湿する水破砕手段により構成したものである。
【００２５】
この手段により、水破砕手段により微細化された水滴が生成されるため加湿量が増加することとなり、立ち上がり湿度上昇が速い効率的なサウナ装置が得られる。
【００２６】
また、他の手段は、ノズルの上流側に水加熱手段を設けた構成としたものである。
【００２７】
この手段により、ノズル供給水が加熱手段で温められることにより、温水を噴射することとなり、加湿量、加熱量を上昇することができ、サウナ起動立ち上がり時間を短くすることができるサウナ装置が得られる。
【００２８】
また、他の手段は、水破砕手段の風下側に大粒水滴と微細水滴に分離する気液分離手段を設けたものである。
【００２９】
この手段により、サウナ装置より吹き出された微細な加湿空気によりサウナ対象室内をクリアでありながらも高湿度な空間とすることができ、湿度感がありながらもサウナ運転による行動規制が少なく、読書ができる等のサウナ空間を創造するサウナ装置が得られる。
【００３０】
また、他の手段は、気液分離手段により回収する水滴の大きさは１０μｍ以上である構成としたものである。
【００３１】
この手段により、使用者が水滴の付着を体感することなく長時間使用できるサウナ装置が得られる。
【００３２】
また、他の手段は、回収された大粒の水滴を、気液分離手段の下部に設けられる落下水を貯水する貯水部を介し排水口に導く構成としたものである。
【００３３】
この手段により、回収された大粒水滴が通風路内に停滞することが無く外部に排出されるのでカビ、菌等が発生し難いサウナ装置が得られる。
【００３４】
また、他の手段は、貯水部を加湿部通風路外の気流流通路外に設け、貯水部の溢水を検知する溢水検知手段を、貯水部の気流流通路外に設けたものである。
【００３５】
この手段により、溢水検知手段は加湿部循環風路外の気流流通路外の貯水部にあるため、貯水面の波立ちの影響を受けにくく精度の高い水位を検出できることとなり、装置内から溢水を抑制することができるサウナ装置が得られる。
【発明の効果】
【００３６】
本発明によれば、高温、高湿度空気を供給できるとともに、少ない構成部品で実現でき、軽量化、低コストを図ることができ、また低騒音という効果のあるサウナ装置を提供できる。
【００３７】
また、吹出口より水滴が落下し使用者に不快感を与えることがないという効果のあるサウナ装置を提供できる。
【００３８】
また、カビ、菌等が発生し難いという効果のあるサウナ装置を提供できる。
【００３９】
また、高温、高湿度の空気を大風量で供給できるという効果のあるサウナ装置を提供できる。
【００４０】
また、サウナ起動立ち上がり時間を短くすることができるという効果のあるサウナ装置を提供できる。
【００４１】
また、モーターの耐久性を向上させることができるという効果のあるサウナ装置を提供できる。
【００４２】
また、立ち上がり湿度上昇が速い、効率的な効果のあるサウナ装置を提供できる。
【００４３】
また、湿度感がありながらサウナ運転による行動規制が少なく、読書ができるという効果のあるサウナ装置を提供できる。
【００４４】
また、使用者が水滴の付着を体感することなく、長時間使用できるという効果のあるサウナ装置を提供できる。
【００４５】
また、装置内から溢水を抑制することができるという効果のあるサウナ装置を提供できる。
【発明を実施するための最良の形態】
【００４６】
本発明の請求項１記載のサウナ装置は、サウナ対象室の空気を循環する循環送風手段と、空気を加熱する空気加熱手段と、空気を加湿する加湿手段と、前記循環送風手段により前記空気加熱手段を通過したのち、前記加湿手段を経て吹出口よりサウナ対象室に吹き出す通風路とを備え、前記循環送風手段と前記吹出口を逆Ｌ字状の通風路にて連通したものであり、循環送風手段から吹出口までの通風路を長くすることにより、加湿空間を大きくでき、加湿能力を高めることができるので、従来のサウナ装置の加湿送風手段が不要となる。また、吹出口がサウナ対象室となる浴室の中央側に近くなるとともに、吹出口から騒音発生源であるファンモータへの距離を長く取れることにより、サウナ対象室全体に高温、高湿度空気を低騒音で供給でき、加湿手段を循環送風風路内に配置することにより少ない構成部品で実現でき、本体の軽量化、低コストが実現でき、また、従来技術に比べ加湿手段に使用するファンモータが不要となるので低騒音になるという作用を有する。
【００４７】
また、加湿手段を略逆Ｌ字状に形成される通風路の略水平通風路部に設けたものであり、加湿空気が通風路に接触して水滴になった場合でも一旦通風路の水平面に溜まるので水滴が直接吹出口からサウナ対象室に落下することがないことにより、水滴が吹出口より落下し使用者に不快感を与えることのないという作用を有する。
【００４８】
また、水平通風路部の下面を循環送風手段の送風機吐出口から下り勾配に設け、前記水平通風路部の端部に設けられる貯水部と、この貯水部から外部に排水できる排水経路とを設けたものであり、加湿空気が通風路に接触し水滴になった場合でも下り勾配の通風路により貯水部に導かれ外部に排出されることにより、水分が通風路内に停滞することが無く外部に排出されるのでカビ、菌等が発生し難いという作用を有する。
【００４９】
また、空気加熱手段を、通風路を形成するケーシングの外側に配置したものであり、空気加熱手段を大きく形成することができ、加熱能力、通風抵抗を小さくすることができるとともに、通風路内に空気加熱手段を配置した場合には循環送風手段の大きさにより通風路の大きさが制限されるため加熱手段の大きさも制限されることとなることにより、空気加熱手段を送風機の吐出側の風路面積の影響を受けずに設けることができることから空気加熱手段を大型化できることにより、高温、高湿度の空気を大風量で供給できるという作用を有する。
【００５０】
また、空気加熱手段を、ケーシングを囲むように略Ｌ字状またはコの字状に形成したものであり、有効的に空気加熱手段を配置することができ、加熱面積を大きくできることにより、大型の空気加熱手段で空気を温めることができ、加湿量、加熱量を上昇することができ、サウナ起動立ち上がり時間を短くすることができるという作用を有する。
【００５１】
また、循環送風手段に使用するモーターを通風路外に設け、モーター上部を覆う部分に開口部を設けたものであり、空気加熱手段により加熱された空気が循環送風手段を通過する際にモーターに直接温風が当たらないようにフレームの形状をモーターの形状に合わせて凹ませ、通風路の外に設置することによりモーターの温度上昇を抑えることができ、また、モーターまたはその周囲空間の熱がこもらないようにモーター上部を覆う部分に開口を設けることによりモーターの温度上昇が抑えられモーターの耐久性を向上させるという作用を有する。
【００５２】
また、加湿手段を、水を噴射するノズルと、このノズルから噴射した水が噴射水衝突面に衝突することにより加湿する水破砕手段により構成したものであり、ノズルからの噴射と壁面衝突による衝突力により噴射水滴は微細化され、水滴が蒸発しやすい大きさとなることにより、加湿量が上がることとなり、立ち上がり湿度上昇が速いという作用を有する。
【００５３】
また、ノズルの上流側に水加熱手段を設けた構成としたものであり、ノズルに供給される冷水が水加熱手段を流れる温水と熱交換することにより加熱され、ノズルからは温水を噴射することができるので、加湿量、加熱量を上昇することができ、サウナ起動立ち上がり時間を短くすることができるという作用を有する。
【００５４】
また、水破砕手段の風下側に大粒水滴と微細水滴に分離する気液分離手段を設けたものであり、気液分離手段に侵入した大粒水滴と微細水滴の混合加湿空気のうち、大粒水滴は気液分離手段の壁面あるいは端面に衝突し回収され、一方微細水滴は気液分離手段の壁面あるいは端面には衝突せずに通過し、吹き出した加湿空気は微細な水滴のみとなることにより、吹き出された微細な加湿空気によりサウナ対象室内をクリアでありながらも高湿度な空間とすることができ、湿度感がありながらもサウナ運転による行動規制が少なく、読書ができる等のサウナ空間を創造できるという作用を有する。
【００５５】
また、気液分離手段により回収する水滴の大きさは１０μｍ以上である構成としたものであり、使用者が水滴の付着を体感することなく長時間使用できるという作用を有する。
【００５６】
また、本発明の請求項１１記載の発明は、回収された大粒の水滴を、気液分離手段の下部に設けられる落下水を貯水する貯水部を介し排水口に導く構成としたものであり、気液分離手段の壁面あるいは端面に衝突した大粒水滴は落下し、下部に設置された貯水部に導かれ、一方貯水部は排水口を備えているため貯水した水は排水口よりが部に排水できることにより、回収された大粒水滴が通風路内に停滞することが無く外部に排出されるので、カビ、菌等が発生し難いという作用を有する。
【００５７】
また、貯水部を加湿部通風路外の気流流通路外に設け、貯水部の溢水を検知する溢水検知手段を貯水部の気流流通路外に設けたものであり、貯水容量を一定、あるいは一定値以下に保つことができる。また、溢水検知手段は加湿部循環風路外の気流流通路外の貯水部にあるため貯水面の波立ちの影響を受けにくく精度の高い水位を検出できることにより、装置内から溢水を抑制することができるという作用を有する。
【００５８】
以下、本発明の実施の形態について図面を参照しながら説明する。
【００５９】
（実施の形態１）
図１〜図３に示すように、浴室等のサウナ対象室１の空気を循環する循環送風手段２と、給湯器３ａから送られた温水により熱交換をして空気を加熱する空気加熱手段３と、空気を加湿する加湿手段４と、循環送風手段２によりサウナ対象室１の空気を吸込口５より吸い込み空気加熱手段３を通過したのち、加湿手段４を経て吹出口６よりサウナ対象室１に吹き出す通風路７とを備え、循環送風手段２と吹出口６を逆Ｌ字状の通風路７にて連通するようにサウナ装置の本体１ａを形成する。
【００６０】
また、加湿手段４を、逆Ｌ字状に形成される通風路７の略水平状態の水平通風路部８に設け、水平通風路部８の下面９を循環送風手段２の送風機吐出口１０から下り勾配に設け、水平通風路部８の端部に設けられる貯水部１１と、この貯水部１１から外部に排水できる排水経路１２とを設ける。
【００６１】
また、空気加熱手段３を、通風路７を形成するケーシング１３の外側に配置し、ケーシング１３を囲むように略Ｌ字状またはコの字状に形成し、循環送風手段２に使用するモーター１４を通風路外に設け、モーター１４状部を覆う部分に開口部１５を設け構成する。
【００６２】
上記構成においては、サウナ対象室１の空気を循環する循環送風手段２と、空気を加熱する空気加熱手段３と、空気を加湿する加湿手段４と、循環送風手段２により空気加熱手段３を通過したのち、加湿手段４を経て吹出口６よりサウナ対象室１に吹き出す通風路７とを備え、循環送風手段２と吹出口６を逆Ｌ字状の通風路７にて連通したので、循環送風手段２から吹出口６までの通風路７が長くなり、加湿空間を大きくでき、加湿能力を高めることができ、従来のサウナ装置に用いていた加湿送風手段が不要となる。また、吹出口６がサウナ対象室１となる浴室の中央側に近く設けることができるとともに、吹出口６から騒音発生源となる循環送風手段２のファンモータへの距離を長くとることができる。
【００６３】
これらのことにより、サウナ対象室１全体に、高温、高湿度空気を供給でき、加湿手段４を循環送風風路内に配置することにより少ない構成部品で実現でき、本体の軽量化、低コスト化が実現でき、また、従来技術に比べ加湿手段４に使用するファンモーターが不要となるので低騒音化を図ることができることとなる。
【００６４】
また、加湿手段４を、略逆Ｌ字状に形成される通風路７の略水平風路部８に設けたので、加湿空気が通風路７の壁面に接触し水滴になった場合でも、一旦通風路７の底面側に溜まるので水滴が直接吹出口６からサウナ対象室１に落下することがなくなり、水滴が吹出口６より落下し使用者に不快感を与えることがなくなることとなる。
【００６５】
また、水平通風路部８の下面９を循環送風手段２の送風機吐出口１０から下り勾配に設け、水平通風路部８の端部に設けられる貯水部１１と、貯水部１１から外部に排出できる排出経路１２とを設けたので、加湿空気が通風路７の壁面に接触し水滴になった場合でも、下面９が下り勾配の通風路７により貯水部１１に導かれ排水経路１２を通り外部に排出され、水分が通風路７内に停滞することが無くなり、カビ、菌等が発生し難いこととなる。
【００６６】
また、空気加熱手段３を、通風路７を形成するケーシング１３の外側に配置したので、空気加熱手段３を大きく形成することができ、加熱能力、通風抵抗を少なくすることができるとともに、通風路７内に空気加熱手段３を配置した場合には、循環送風手段２の大きさにより通風路７の大きさが制限されるため空気加熱手段３の大きさも制限されることとなるが、空気加熱手段３を送風機吐出口１０側の風路面積の影響を受けずに設けることができることから空気加熱手段３を大型化できることが可能となり、高温、高湿度の空気を大風量で供給できることとなる。
【００６７】
また、空気加熱手段３を、ケーシング１３を囲むように略Ｌ字状またはコの字状に形成したので、有効的に空気加熱手段３を配置することができ、加熱面積を大きくできることにより、大型の空気加熱手段３で空気を温めることができ、加湿量、加熱量を上昇することができ、サウナ起動立ち上がり時間を短くすることができることとなる。
【００６８】
また、循環送風手段２に使用するモーター１４を通風路７外に設け、モーター１４の上部を覆う部分に開口部１５を設けたので、空気加熱手段３により加熱された空気が循環送風手段２を通過する際にモーター１４に直接温風があたらないようにフレームの形状をモーター１４に直接温風が当たらないようにフレームの形状をモーター１４の形状に合わせ凹ませ、通風路７の外に設置することによりモーター１４の温度上昇を抑えることができ、また、モーター１４またはその周囲空間の熱がこもらないようにモーター１４の上部を覆う部分に開口部１５を設けることによりモーター１４の温度上昇が抑えられ、モーター１４の耐久性を向上させることができることとなる。
【００６９】
（実施の形態２）
図４に示すように、加湿手段４Ａを、水を噴射するノズル１６と、ノズル１６から噴射した水が噴射水衝突面１７に衝突することにより加湿する水破砕手段１８を設け、ノズル１６に水を供給するノズル供給配管１９を水加熱手段２０により加熱するように設け、水破砕手段１８の風下側に大粒水滴と微細水滴に分離する気液分離手段２１を設け、気液分離手段２１により回収する水滴の大きさは１０μｍ以上であるように設ける。
【００７０】
また、回収された大粒の水滴を、気液分離手段２１の下部に設けられる落下水を貯水する貯水部１１Ａを介し排水口２２に導くように設け、貯水部１１Ａを加湿部通風路２３の気流流路２４外に設け、貯水部１１Ａの溢水を検知する溢水検知手段２５を貯水部１１Ａの気流流通路２４外に設け構成する。
【００７１】
上記構成においては、加湿手段４Ａを、水を噴射するノズル１６と、ノズル１６から噴射水衝突面１７に衝突することにより加湿する水破砕手段１８をもうけたので、ノズル１６からの噴射と壁面衝突による衝突力により噴射水滴は微細化され、水滴が蒸発しやすい大きさとなり、水破砕手段１８により微細化された水滴が生成されるため加湿量が上がることとなり、立ち上がり温度上昇が速くなることとなる。
【００７２】
また、ノズル１６の上流側に水加熱手段２０を設けた構成としたので、ノズルに供給される冷水が水加熱手段２０を流れる温水と熱交換することにより加熱され、ノズル１６からは温水を噴射することができることにより、加湿量、加熱量を上昇することができ、サウナ起動立ち上がり時間を短くすることができることとなる。
【００７３】
また、水破砕手段１８の風下側に大粒水滴と微細水滴に分離する気液分離手段２１を設けたので、気液分離手段２１に侵入した大粒水滴と微細水滴の混合加湿空気のうち、大粒水滴は気液分離手段２１の壁面または端面に衝突し回収され、一方、微細水滴は気液分離手段２１の壁面あるいは端面には衝突せずに通過し、吹き出した加湿空気は微細な水滴のみとなり、吹き出された微細な加湿空気によりサウナ対象室（図示せず）内をクリアでありながらも高湿度な空間とすることができ、湿度感がありながらサウナ運転による行動規制が少なく、読書ができる等のサウナ空間を創造できることとなる。
【００７４】
また、気液分離手段２１により回収する水滴の大きさは１０μｍ以上である構成としたので、使用者が水滴の付着を体感することなく長時間使用できることとなる。
【００７５】
また、回収された大粒の水滴を、気液分離手段２１の下部に設けられる落下水を貯水する貯水部１１Ａを介し排水口２２に導くようにしたので、気液分離手段２１の壁面あるいは端面に衝突した大粒水滴は落下し、下部に設置された貯水部１１Ａに導かれ、一方貯水部１１Ａは排水口２２を備えているため貯水した水は排水口２２より外部に排水できることとなり、回収された大粒水滴が通風路７内に停滞することが無く、外部に排出されるのでカビ、菌等が発生し難いこととなる。
【００７６】
また、貯水部１１Ａを加湿部通風路２３の気流流通路２４外に設け、貯水部１１Ａの溢水を検知する溢水検知手段２５を貯水部１１Ａの気流流通路２４外に設けたので、貯水容量を一定、あるいは一定値以下に保つことができ、溢水検知手段２５は加湿部循環風路外の気流の流通路外の貯水部１１Ａにあるため、貯水面の波立ちの影響を受けにくく精度の高い水位を検出できることにより、装置内から溢水を抑制することができることとなる。
【産業上の利用可能性】
【００７７】
本発明にかかるサウナ装置は、暖房装置と加湿装置を一体に設けた空気調和装置、あるいは、温度や湿度の制御が必要な動植物の育成、保存分野にも適用できる。
【図面の簡単な説明】
【００７８】
【図１】本発明の実施の形態１のサウナ装置の内部構成を示す側面構成図
【図２】同サウナ装置をサウナ対象室に設置した状態を示す斜視図
【図３】同サウナ装置のモーター部分を示す斜視図
【図４】本発明の実施の形態２のサウナ装置の内部構成を示す側面構成図
【図５】従来のサウナ装置を設置した状態を示す側面断面図
【図６】従来の浴室暖房機の取り付け状態を示す側面構成図
【図７】同浴室暖房機の循環ユニットの斜視図
【符号の説明】
【００７９】
１      サウナ対象室
２      循環送風手段
３      空気加熱手段
４      加湿手段
４Ａ    加湿手段
６      吹出口
７      通風路
８      水平通風路部
９      下面
１０    送風機吐出口
１１    貯水部
１１Ａ  貯水部
１２    排水経路
１３    ケーシング
１４    モーター
１５    開口部
１６    ノズル
１７    噴射水衝突面
１８    水破砕手段
２０    水加熱手段
２１    気液分離手段
２２    排水口
２３    加湿部通風路
２４    気流流通路
２５    溢水検知手段
【図１】
2008136706.tif 000003
【図２】
2008136706.tif 000004
【図３】
2008136706.tif 000005
【図４】
2008136706.tif 000006
【図５】
2008136706.tif 000007
【図６】
2008136706.tif 000008
【図７】
2008136706.tif 000009